(57)【要約】【課題】  光信号の論理レベルを識別するための閾値の調整時間が短縮された光受信装置及び閾値調整方法を提供する。【解決手段】  光受信装置は、光信号を受信し、前記光信号の論理レベルを閾値に基づき識別することにより前記光信号を電気信号に変換する受信器と、前記電気信号から所定時間内の前記光信号のエラー数を前記論理レベルごとに検出する検出部と、前記検出部の検出結果に基づき前記閾値を調整する調整部とを有する。【選択図】図７
2018050117.tif 000002
【特許請求の範囲】
【請求項１】
光信号を受信し、前記光信号の論理レベルを閾値に基づき識別することにより前記光信号を電気信号に変換する受信器と、
前記電気信号から所定時間内の前記光信号のエラー数を前記論理レベルごとに検出する検出部と、
前記検出部の検出結果に基づき前記閾値を調整する調整部とを有することを特徴とする光受信装置。
【請求項２】
前記調整部は、前記検出部が検出した前記論理レベルごとのエラー数同士を比較し、該比較結果に応じて前記閾値を増加方向または減少方向に調整することを特徴とする請求項１に記載の光受信装置。
【請求項３】
前記調整部は、前記検出部が検出した前記論理レベルごとのエラー数同士を比較し、該比較結果に応じた調整値だけ前記閾値を調整することを特徴とする請求項１または２に記載の光受信装置。
【請求項４】
前記調整部は、前記検出部が検出した前記論理レベルごとのエラー数同士を比較し、該比較結果として、前記論理レベルごとのエラー数の間の大小関係の変化を検出した場合、所定値だけ前記閾値を調整することを特徴とする請求項１乃至３の何れかに記載の光受信装置。
【請求項５】
前記光信号の受信元の伝送路を切り替える切り替え部を有し、
前記調整部は、前記切り替え部が前記光信号の受信元の伝送路を切り替えたとき、前記閾値を調整することを特徴とする請求項１乃至４の何れかに記載の光受信装置。
【請求項６】
光信号を受信し、
前記光信号の論理レベルを閾値に基づき識別することにより前記光信号を電気信号に変換し、
前記電気信号から所定時間内の前記光信号のエラー数を前記論理レベルごとに検出し、
該検出結果に基づき前記閾値を調整することを特徴とする閾値調整方法。
【発明の詳細な説明】
【技術分野】
【０００１】
本件は、光受信装置及び閾値調整方法に関する。
【背景技術】
【０００２】
例えば、複数のノートがリング状に接続されたＳＯＮＥＴ（Synchronous Optical NETwork）リングにおいて、送信ノードと受信ノードの間の伝送路は、障害発生時、例えばＯＵＰＳＲ（Optical Unidirectional Path Switched Ring）により現用系の伝送路から予備系の伝送路に切り替えられる。現用系の伝送路と予備系の伝送路は伝送路特性が相違しており、例えば、伝送路長及び各ノードの分散補償ファイバ（DCF: Dispersion Compensating Fiber）の挿入量の総和の違いにより残留分散値が相違する。
【０００３】
送信ノードから受信ノードにＤＷＤＭ（Dense Wavelength Divisional Multiplex）信号などの光信号を送信する場合、受信ノードに入力される光信号の波形は、伝送路の残留分散値や送信ノードと受信ノードの間の各中継ノードによるノイズなどにより劣化する。このため、受信ノードでは、例えば伝送装置の起動時や伝送路の切り替え時、光信号の受信器に対し受信識別レベル制御電圧（RxDTV: Receiver Decision Threshold Voltage）を残留分散値に応じて最適値に調整する処理が行われる。
【０００４】
受信識別レベル制御電圧とは、光信号の論理「０」レベル及び論理「１」レベルの識別に用いられる閾値である。したがって、受信識別レベル制御電圧の調整により光信号の論理「０」レベル及び論理「１」レベルの識別誤りが低減されるため、光信号のエラーが低減される。
【０００５】
送信ノード及び受信ノードには、例えば３００ｐｉｎ−ＭＳＡ（Multi Source Agreement）と呼ばれる１０（Gbps）の光トランシーバを用いることができる。３００ｐｉｎ−ＭＳＡの送信器は、外部変調器として例えばＬＮ（ニオブ酸リチウム）変調器が設けられており、伝送路特性が悪い場合でも高品質の光信号を送信することができる。このため、３００ｐｉｎ−ＭＳＡの受信器は、伝送路の残留分散値によらず、受信識別レベル制御電圧を固定値に設定して用いても、送信側の優れた信号品質により十分な伝送路特性を保つことができる。
【０００６】
一方、３００ｐｉｎ−ＭＳＡより小型かつ低消費電力の光トランシーバであるＸＦＰ（１０Gbit/s Small Form Factor Pluggable）が普及している。ＸＦＰは、回路基板に固定される３００ｐｉｎ−ＭＳＡとは異なり、所定のコネクタに対して着脱自在なプラガブルモジュールとして構成されている。このため、ＸＦＰを送信ノード及び受信ノードに用いれば、伝送装置の小型化が可能である。
【０００７】
ＸＦＰの送信器は、外部変調器として、例えばＬＮ変調器より小型のＩｎＰ（インジウムリン）変調器が設けられることで３００ｐｉｎ−ＭＳＡより小型化されている。しかし、ＩｎＰ変調器は性能面でＬＮ変調器に劣るため、ＸＦＰの送信器は、例えばチャープ特性や消光比などに関し、３００ｐｉｎ−ＭＳＡほどの高品質の光信号を送信することができない。
【０００８】
このため、ＸＦＰの受信器では、光信号の品質の低さが補われるように、受信識別レベル制御電圧が伝送路の残留分散値に応じて最適値に調整される。これにより、ＸＦＰが用いられた場合でも、３００ｐｉｎ−ＭＳＡを用いた場合と同程度の伝送距離が実現される。
【０００９】
受信識別レベル制御電圧に関し、例えば特許文献１には、光信号の誤り訂正数（エラー）が増加するように光入力側の光増幅器の利得を低下させておき、ＸＦＰなどの受信識別レベル制御電圧とエラーレートの関係に基づいて、誤り訂正数が最少となる受信識別レベル制御電圧を探索する点が記載されている。
【先行技術文献】
【特許文献】
【００１０】
【特許文献１】特開２０１３−１７２３７５号公報
【発明の概要】
【発明が解決しようとする課題】
【００１１】
しかし、特許文献１の手法では受信ノードに光増幅器が必要となるため、受信ノードにおける伝送装置の小型化及び低コスト化が困難となる。光増幅器がない場合でもエラーレートの測定結果に基づき受信識別レベル制御電圧の最適値を探索することは可能だが、誤り訂正、つまりエラーが生じにくい状態ではエラーレートの測定時間が延びるため、その測定回数が増えるほど、受信識別レベル制御電圧の調整に長い時間を要する。受信識別レベル制御電圧の調整時間が長いと、伝送路の切り替え時、光信号の伝送の再開が遅延するため、通信サービスの品質が低下する。
【００１２】
そこで、本発明は、光信号の論理レベルを識別するための閾値の調整時間が短縮された光受信装置及び閾値調整方法を提供することを目的とする。
【課題を解決するための手段】
【００１３】
１つの態様では、光受信装置は、光信号を受信し、前記光信号の論理レベルを閾値に基づき識別することにより前記光信号を電気信号に変換する受信器と、前記電気信号から所定時間内の前記光信号のエラー数を前記論理レベルごとに検出する検出部と、前記検出部の検出結果に基づき前記閾値を調整する調整部とを有する。
【００１４】
１つの態様では、閾値調整方法は、光信号を受信し、前記光信号の論理レベルを閾値に基づき識別することにより前記光信号を電気信号に変換し、前記電気信号から所定時間内の前記光信号のエラー数を前記論理レベルごとに検出し、該検出結果に基づき前記閾値を調整する方法である。
【発明の効果】
【００１５】
１つの側面として、光信号の論理レベルを識別するための閾値の調整時間を短縮することができる。
【図面の簡単な説明】
【００１６】
【図１】伝送システムの一例を示す構成図である。
【図２】３００ｐｉｎ−ＭＳＡモジュールを用いた場合の光信号のアイパタン及びエラーレート特性の一例を示す図である。
【図３】ＸＦＰを用いた場合の光信号のアイパタン及びエラーレート特性の一例を示す図である。
【図４】受信識別レベル制御電圧の調整処理の比較例を示す図である。
【図５】光インターフェースユニットの一例を示す構成図である。
【図６】誤り訂正処理の一例を示す図である。
【図７】アイパタンのずれに対する論理「０」レベル及び論理「１」レベルのエラーの増減を示す図である。
【図８】光インターフェースユニットの外観の一例を示す図である。
【図９】論理「０」レベル及び論理「１」レベルのエラーの差分が小さい場合の受信識別レベル制御電圧の調整処理の一例を示す図である。
【図１０】論理「０」レベル及び論理「１」レベルのエラーの差分が大きい場合の受信識別レベル制御電圧の調整処理の一例を示す図である。
【図１１】受信識別レベル制御電圧の微調整処理の一例を示す図である。
【図１２】受信識別レベル制御電圧の調整処理の実行判定処理の一例を示すフローチャートである。
【図１３】受信識別レベル制御電圧の調整処理の一例を示すフローチャートである。
【図１４】調整値の決定処理の一例を示す図である。
【図１５】微調整処理の一例を示す図である。
【発明を実施するための形態】
【００１７】
図１は、伝送システムの一例を示す構成図である。伝送システムは、一例として、ノード＃１〜＃８がリング状に接続されたＳＯＮＥＴリングとして構成されている。本例では、一例として、ノード＃１を、光信号を送信する送信ノードとし、ノード＃４を、光信号を受信する受信ノードとするが、送信ノード及び受信ノードは他のノード＃２，＃３，＃５〜＃８であってもよい。なお、光信号としては例えばＤＷＤＭ信号が挙げられるが、これに限定されない。
【００１８】
図１において、ノード＃１については伝送装置の送信に関する構成が簡単に示され、ノード＃４については伝送装置の受信に関する構成が簡単に示されている。ノード＃１において、送信器１２は光信号を送信し、光カプラ２１は、送信器１２から入力された光信号をノード＃２とノード＃８に向けて分岐する。なお、受信側のノード＃４の伝送装置は光受信装置の一例である。
【００１９】
一方の光信号は、ノード＃２とノード＃３を経由する伝送路Ｒａを介してノード＃４に入力される。他方の光信号は、ノード＃５〜＃８を経由する伝送路Ｒｂを介してノード＃４に入力される。伝送路Ｒａと伝送路Ｒｂのうち、一方は現用系として用いられ、他方は予備系として用いられる。
【００２０】
ノード＃４において、光スイッチ２０は、伝送路Ｒａと伝送路Ｒｂの一方を選択して、その選択した伝送路Ｒａ，Ｒｂから入力された光信号を受信器１０に導く。受信器１０は光スイッチ２０から入力された光信号を受信する。このように、光スイッチ２０は、切り替え部の一例であり、光信号の受信元の伝送路Ｒａ，Ｒｂを切り替える。
【００２１】
図１の例において、光スイッチ２０は伝送路Ｒａを選択しており、伝送路Ｒａは現用系として用いられる。このため、受信器１０には伝送路Ｒａを介して光信号が入力される。光スイッチ２０は、矢印で示されるように、例えばＯＵＰＳＲに従い伝送路を現用系から予備系に切り替える。伝送路の切り替え後、受信器１０には伝送路Ｒｂを介して光信号が入力される。
【００２２】
受信器１０は、光信号の論理「０」レベル及び論理「１」レベルを受信識別レベル制御電圧に基づき識別することにより光信号を電気信号に変換する。受信識別レベル制御電圧は、光信号の論理「０」レベル及び論理「１」レベルの識別に用いられる閾値の一例である。
【００２３】
伝送路Ｒａと伝送路Ｒｂの伝送路特性は相違しているため、伝送路Ｒａ及び伝送路Ｒｂの残留分散値も相違する。このため、ノード＃４に入力される光信号の波形は、伝送路Ｒａ，Ｒｂごとの残留分散値や伝送路Ｒａ，Ｒｂ上の各中継ノード＃２，＃３，＃５〜＃８によるノイズなどにより劣化する。
【００２４】
したがって、ノード＃４では、例えば伝送装置の起動時や伝送路の切り替え時、受信器１０に対し受信識別レベル制御電圧を残留分散値に応じて最適値に調整する処理が行われる。
【００２５】
しかし、仮に、送信器１２及び受信器１０として３００ｐｉｎ−ＭＳＡが用いられた場合、伝送路特性が悪い場合でも高品質の光信号を送受信することができる。このため、受信器の受信識別レベル制御電圧は、伝送路の残留分散値によらず、固定値に設定されている。
【００２６】
図２は、３００ｐｉｎ−ＭＳＡモジュールを用いた場合の光信号のアイパタン及びエラーレート特性の一例を示す図である。本例において、光信号のアイパタンは理想的な波形であり、受信識別レベル制御電圧は、一例として５０（％）に固定されている。
【００２７】
このため、光信号波形の最大波高値は実質的に受信識別レベル制御電圧の１００（％）に一致し、光信号波形の最小波高値は実質的に受信識別レベル制御電圧の０（％）に一致する。したがって、３００ｐｉｎ−ＭＳＡモジュールを用いた場合、受信識別レベル制御電圧が固定値であっても、光信号の論理「０」レベル及び論理「１」レベルが正常に識別される。
【００２８】
また、エラーレート特性は（ＲｘＤＴＶ−ＢＥＲ（Bit Error Rate）特性）、受信識別レベル制御電圧に対する伝送路Ｒａの光信号のビットエラーレート（符号Ｇａ参照）及び伝送路Ｒｂの光信号のビットエラーレート（符号Ｇｂ参照）の変化を示す。エラーレートは、基準値ＲＥＦより大きい場合、要求される伝送品質が満たされないと判断され（「ＮＧ」領域参照）、基準値ＲＥＦ以下である場合、要求される伝送品質が満たされると判断される（「ＯＫ」領域参照）。
【００２９】
伝送路Ｒａ，Ｒｂのビットエラーレートは受信識別レベル制御電圧に対し二次関数状に変化する。符号Ｐａは、伝送路Ｒａのビットエラーレートが最小となる最適点を示し、符号Ｐｂは、伝送路Ｒｂのビットエラーレートが最小となる最適点を示す。また、符号Ｐｃは、伝送路Ｒａ，Ｒｂのエラーレート特性Ｇａ，Ｇｂの交点であり、その受信識別レベル制御電圧は５０（％）に一致する。
【００３０】
交点Ｐｃにおけるビットエラーレートは基準値ＲＥＦより小さいため、伝送路Ｒａ，Ｒｂの何れに切り替えられても、受信識別レベル制御電圧を５０（％）に固定しておけば、要求される伝送品質は満たされる。
【００３１】
図３は、ＸＦＰを用いた場合の光信号のアイパタン及びエラーレート特性の一例を示す図である。図３において、図２と共通する事項については説明を省略する。図３には理想的なアイパタンが示されているが、ＸＦＰの送信器１２は３００ｐｉｎ−ＭＳＡほどの高品質の光信号を送信することができないため、実際にはアイパタンの開口（点線部）が歪んだり正方向または負方向にずれたりする。
【００３２】
このため、ＸＦＰの受信器１０では、光信号の品質の低さが補われるように、受信識別レベル制御電圧が伝送路Ｒａ，Ｒｂの残留分散値に応じて最適値に調整される。これにより、ＸＦＰが用いられた場合でも、３００ｐｉｎ−ＭＳＡを用いた場合と同程度の伝送距離が実現される。なお、調整範囲は、例えば３０〜７０（％）とされるが、これに限定されない。
【００３３】
エラーレート特性において、伝送路Ｒａの最適点Ｐａの受信識別レベル制御電圧を６０（％）とし、伝送路Ｒｂの最適点Ｐｂの受信識別レベル制御電圧を４０（％）とし、交点Ｐｃの受信識別レベル制御電圧を５０（％）とする。このとき、交点Ｐｃのビットエラーレートは基準値ＲＥＦを超えるが、最適点Ｐａ，Ｐｂのビットエラーレートは基準値ＲＥＦより小さい。このため、受信識別レベル制御電圧は、切り替え後の伝送路Ｒａ，Ｒｂに応じた最適点Ｐａ，Ｐｂに調整される（矢印参照）。
【００３４】
図４は、受信識別レベル制御電圧の調整処理の比較例を示す図である。図４には伝送路Ｒｂのエラーレート特性が示されている。本例では、伝送路Ｒｂを切り替え後の伝送路とするが、伝送路Ｒａを切り替え後の伝送路としてもよい。
【００３５】
本例において、伝送装置は２分割法によりエラーレートから最適点を探索する。図４において、エラーレート特性Ｇｂ上の丸はエラーレートの測定点を示し、符号Ｘは点線の丸部分の拡大図を示す。また、本例において、受信器１０に入力される光信号を増幅する光増幅器は、伝送装置の小型化及び低コスト化の観点から設けられていないものと仮定する。このため、光増幅器の利得を低下させることによりエラーの発生率を高めることができないことから、１回のエラーレート測定に、通常より長い７秒を要するものとする。
【００３６】
まず、伝送装置は、受信識別レベル制御電圧の調整範囲内で１０（％）刻みでエラーレートを測定する。より具体的には、受信識別レベル制御電圧が３０（％）、４０（％）、５０（％）、６０（％）、及び７０（％）の測定点でエラーレートの測定が行われる。このとき、全ての測定点での測定の所要時間は３５秒（＝７秒×５回）となる。
【００３７】
次に、伝送装置は、各測定点のエラーレートのうち、最小のエラーレートの測定点Ｐ０を検出する。次に、伝送装置は、その測定点Ｐ０に対して受信識別レベル制御電圧が±５（％）の位置にある測定点Ｐ１，Ｐ２を選択し、測定点Ｐ１，Ｐ２でのエラーレートを測定する。より具体的には、受信識別レベル制御電圧が４５（％）及び６５（％）の測定点Ｐ１，Ｐ２でエラーレートの測定が行われる。このとき、測定の所要時間は１４秒（＝７秒×２回）となる。
【００３８】
次に、伝送装置は、測定点Ｐ０〜Ｐ２のうち、最小のエラーレートの測定点Ｐ０と、２番目に小さいエラーレートの測定点Ｐ１とを検出し、その測定点Ｐ０，Ｐ１の中間に位置する測定点Ｐ３でのエラーレートを測定する。このとき、測定の所要時間は７秒（＝７秒×１回）となる。
【００３９】
次に、伝送装置は、測定点Ｐ０，Ｐ１，Ｐ３のうち、最小のエラーレートの測定点Ｐ３と、２番目に小さいエラーレートの測定点Ｐ０とを検出し、その測定点Ｐ０，Ｐ３の中間に位置する測定点Ｐ４でのエラーレートを測定する。このとき、測定の所要時間は７秒（＝７秒×１回）となる。
【００４０】
上記のように、伝送装置は、エラーレートの小さい２つの測定点の中間の測定点でのエラーレート測定を、例えば２つの測定点間の受信識別レベル制御電圧の間隔が例えば０．３１２５（％）以下となるまで繰り返すことにより最適点を探索する。本例の場合、さらに２回のエラーレート測定を行うと、２つの測定点間の受信識別レベル制御電圧の間隔が０．３１２５（％）以下となる。このため、測定の所要時間としてさらに１４秒（＝７秒×２回）を要し、全体として７７秒（＝３５＋１４＋７＋７＋７＋７）の測定時間となる。
【００４１】
このように、エラーレートの測定回数が増えるほど、受信識別レベル制御電圧の調整に長い時間を要する。受信識別レベル制御電圧の調整時間が長いと、伝送路の切り替え時、光信号の伝送の再開が遅延するため、通信サービスの品質が低下する。
【００４２】
そこで、実施例では、所定時間内の光信号のエラー数を論理「０」レベル及び論理「１」レベルごとに検出し、その検出結果に基づき受信識別レベル制御電圧を調整することで、受信識別レベル制御電圧の調整時間を短縮する。以下に実施例について述べる。
【００４３】
図５は、光インターフェースユニットの一例を示す構成図である。光インターフェースユニット（以下、「光ＩＮＦユニット」）は、各ノード＃１〜＃８の伝送装置に実装される回路基板であって、例えば方路ごとに伝送装置に設けられる。なお、図１に示された光カプラ２１や光スイッチ２０は光インターフェースユニットとは別のユニットに設けられている。
【００４４】
光ＩＮＦユニットは、伝送路Ｒａ，Ｒｂを介し光信号を送受信する。光ＩＮＦユニットは、送受信部１、監視制御部３０、インターフェース部３１、ＦＥＣ（Forward Error Correction）処理部３２、及び信号処理部３３を有する。送受信部１は、例えばＸＦＰであり、受信器１０、メモリ１１、及び送信器１２を有する。メモリ１１には、受信識別レベル制御電圧の設定値がレジスタとして格納されている（「ＲｘＤＴＶ」参照）。
【００４５】
また、受信器１０は、光スイッチ２０により選択された伝送路Ｒａ，Ｒｂからの光信号の入力の有無を判定し、入力がない場合、ＬＯＳ信号を監視制御部３０に出力する。このため、監視制御部３０は、ＬＯＳ信号の入力に応じて、伝送路の障害を検出し、伝送路の切り替え処理を実行することができる。
【００４６】
受信器１０は、例えばフォトダイオードなどを含み、光信号を電気信号に変換してＦＥＣ処理部３２に出力する。このとき、受信器１０はフォトダイオードにより光信号から光電流を得るが、フォトダイオードのバイアス電圧は、メモリ１１に格納された受信識別レベル制御電圧の設定値に基づき決定される。このように、受信器１０は、光信号の論理レベルを受信識別レベル制御電圧に基づき識別することにより光信号を電気信号に変換する。
【００４７】
ＦＥＣ処理部３２は、検出部の一例であり、受信器１０から入力された電気信号から所定時間内の光信号のエラー数を論理レベルごとに検出する。より具体的には、ＦＥＣ処理部３２は、例えばＦＰＧＡ（Field Programmable Gate Array）などの論理回路により構成され、電気信号に含まれるデータをその信号内のＦＥＣにより光信号のエラーを検出して訂正する。ＦＥＣ処理部３２は、論理「０」レベルのエラー数Ｅｒ０及び論理「１」レベルのエラー数Ｅｒ１をそれぞれ検出して、例えばバスを介して監視制御部３０に通知する。
【００４８】
ＦＥＣ処理部３２は、誤り訂正済みのデータをデータ信号として信号処理部３３に出力する。また、ＦＥＣ処理部３２は、信号処理部３３から入力されたデータ信号に対するＦＥＣを生成してデータ信号に付与する。ＦＥＣ処理部３２は、ＦＥＣの付与済みのデータ信号を送信器１２に出力する。なお、本例では、誤り訂正符号としてＦＥＣを挙げるが、これに限定されず、他の誤り訂正符号が用いられてもよい。
【００４９】
図６は、誤り訂正処理の一例を示す図である。ＦＥＣ処理部３２は、送信器１２に出力するデータ信号を処理する送信データ処理部３２ａと、受信器１０から入力されたデータ信号を処理する受信データ処理部３２ｂとを有する。図６には、送信器１２及び受信器１０の処理に加え、送信側の伝送装置の送信データ処理部３２ａが、伝送路Ｒａ，Ｒｂを介し、パケットの光信号を受信側の伝送装置の受信データ処理部３２ｂに送信する様子が示されている。
【００５０】
送信データ処理部３２ａは、データ送信部３２５、ＦＥＣ付与部３２４、及びパケット生成部３２３を有する。また、受信データ処理部３２ｂは、データ再生部３２０、誤り訂正部３２１、及びデータ受信部３２２を有する。
【００５１】
データ送信部３２５は、信号処理部３３から入力された送信対象のデータをＦＥＣ付与部３２４に送信する。ＦＥＣ付与部３２４は、データからＦＥＣを生成してデータに付与し、ＦＥＣ付きのデータをパケット生成部３２３に出力する。パケット生成部３２３は、ＦＥＣ付きのデータを分割してパケットを生成し、送信器１２に出力する。なお、パケットとしては、例えばＩＰ（Internet Protocol）パケットが挙げられるが、これに限定されない。
【００５２】
パケットは、送信器１２に入力された後、電気−光変換されて光信号として伝送路Ｒａ，Ｒｂに送信される。パケットには、例えば伝送路Ｒａ，Ｒｂ内で生じるノイズによりエラー（斜線部参照）が生ずる。パケットは伝送路Ｒａ，Ｒｂから受信器１０に入力される。
【００５３】
パケットは、受信器１０で受信されて、受信識別レベル制御電圧に基づき論理レベル（「０」、「１」）を識別されることにより光−電気変換される。このため、パケットは光信号から電気信号に変換されて受信データ処理部３２ｂに入力される。
【００５４】
データ再生部３２０は、パケットを合成することによりパケットからＦＥＣ付きのデータを再生して誤り訂正部３２１に出力する。誤り訂正部３２１は、ＦＥＣに基づいて所定時間内の論理「０」レベルのエラー数Ｅｒ０及び論理「１」レベルのエラー数Ｅｒ１を個別に検出して監視制御部３０に通知する。より具体的には、誤り訂正部３２１は、ビットエラーレートの測定時間（例えば７秒）内のエラー数Ｅｒ０，Ｅｒ１を通知する。
【００５５】
論理「０」レベルのエラーとは、論理「０」レベルが誤って論理「１」レベルに識別されるエラーであり、論理「１」レベルのエラーとは、論理「１」レベルが誤って論理「０」レベルに識別されるエラーである。なお、誤り訂正部３２１は、論理「０」レベルのエラー数Ｅｒ０及び論理「１」レベルのエラー数Ｅｒ１の合計をエラーレートとして監視制御部３０に通知してもよいが、監視制御部３０が各エラー数Ｅｒ０，Ｅｒ１を合計することによりエラーレートを算出してもよい。
【００５６】
誤り訂正部３２１は、誤り訂正済みのデータをデータ受信部３２２に出力する。データ受信部３２２は、誤り訂正済みのデータを受信し、データ信号として信号処理部３３に出力する。
【００５７】
再び図５を参照すると、信号処理部３３は、例えばＦＰＧＡなどの論理回路により構成され、データ信号に対しフレーム変換などの各種の信号処理を実行する。信号処理部３３は、ＦＥＣ処理部３２から入力されたデータ信号に対し信号処理を行った後、データ信号を伝送装置内の他の光ＩＮＦユニットに出力する。信号処理部３３は、伝送装置内の他の光ＩＮＦユニットから入力されたデータ信号に対し信号処理を行った後、データ信号をＦＥＣ処理部３２に出力する。
【００５８】
監視制御部３０は、例えばＣＰＵ（Central Processing Unit）などのプロセッサ及びメモリなどを含む回路により構成され、光ＩＮＦユニットの監視制御を行う。監視制御部３０は、例えば、受信器１０からＬＯＳ信号が入力されたとき、光スイッチ２０に対し伝送路の切り替え制御を行う。
【００５９】
監視制御部３０は、調整部の一例であり、光スイッチ２０が光信号の受信元の伝送路Ｒａ，Ｒｂを切り替えたとき、受信器１０に対し受信識別レベル制御電圧を調整する。このため、監視制御部３０は、伝送路Ｒａ，Ｒｂの残留分散値に応じて受信識別レベル制御電圧を調整することができるので、伝送路の切り替え後も伝送品質を維持することができる。
【００６０】
監視制御部３０は、バスを介してＦＥＣ処理部３２及び信号処理部３３に接続されている。監視制御部３０は、受信識別レベル制御電圧の調整処理においてＦＥＣ処理部３２から論理「０」レベルのエラー数Ｅｒ０と論理「１」レベルのエラー数Ｅｒ１を取得し、そのエラー数Ｅｒ０，Ｅｒ１に基づき受信識別レベル制御電圧を調整する。
【００６１】
すなわち、監視制御部３０は、ＦＥＣ処理部３２のエラー数の検出結果に基づき受信識別レベル制御電圧を調整する。このため、監視制御部３０は、論理「０」レベルのエラー数Ｅｒ０と論理「１」レベルのエラー数Ｅｒ１を比較し、その比較結果から受信識別レベル制御電圧の調整方向と調整値を決定することができるため、エラーレートの測定回数が低減されて比較例より調整時間が短縮される。以下に、受信識別レベル制御電圧の調整について、アイパタンが伝送路Ｒａ，Ｒｂの特性により正方向及び負方向にずれた場合を例に挙げて説明する。
【００６２】
図７は、アイパタンのずれに対する論理「０」レベル及び論理「１」レベルのエラーの増減を示す図である。本例において、受信識別レベル制御電圧の初期値は５０（％）であるものとする。なお、受信識別レベル制御電圧の値は、図３に示されるような理想的なアイパタンを基準として定義される。
【００６３】
アイパタンが正方向にずれた場合、受信識別レベル制御電圧（５０（％））は相対的にアイパタンの論理「１」レベル（「１」参照）から離れ、アイパタンの論理「０」レベル（「０」参照）に近づく。このため、論理「０」レベルのエラー数Ｅｒ０は増加し、論理「１」レベルのエラー数Ｅｒ１は減少するので、Ｅｒ０＞Ｅｒ１の関係が成立する。
【００６４】
この場合、監視制御部３０は、受信識別レベル制御電圧をアイパタンの論理「０」レベル及び論理「１」レベルの中央に向けて正方向に調整することにより、エラーを低減することができる。したがって、監視制御部３０は、Ｅｒ０＞Ｅｒ１の関係が成立するとき、受信識別レベル制御電圧を正方向、つまり増加方向に調整する。
【００６５】
また、監視制御部３０は、受信識別レベル制御電圧の増加量である調整値ｄ（＞０）をエラー数Ｅｒ０とエラー数Ｅｒ１の比に応じて決定する。このため、監視制御部３０は、受信識別レベル制御電圧をアイパタンの論理「０」レベル及び論理「１」レベルの中央に精度よく近づけることができる。なお、調整値ｄの決定手法については後述する。
【００６６】
一方、アイパタンが負方向にずれた場合、受信識別レベル制御電圧（５０（％））は相対的にアイパタンの論理「０」レベル（「０」参照）から離れ、アイパタンの論理「１」レベル（「１」参照）に近づく。このため、論理「１」レベルのエラー数Ｅｒ０は増加し、論理「０」レベルのエラー数Ｅｒ１は減少するので、Ｅｒ１＞Ｅｒ０の関係が成立する。
【００６７】
この場合、監視制御部３０は、受信識別レベル制御電圧をアイパタンの論理「０」レベル及び論理「１」レベルの中央に向けて負方向に調整することにより、エラーを低減することができる。したがって、監視制御部３０は、Ｅｒ１＞Ｅｒ０の関係が成立するとき、受信識別レベル制御電圧を負方向、つまり減少方向に調整する。
【００６８】
この場合も、監視制御部３０は、受信識別レベル制御電圧の増加量である調整値ｄ（＞０）をエラー数Ｅｒ０とエラー数Ｅｒ１の比に応じて決定する。このため、監視制御部３０は、受信識別レベル制御電圧をアイパタンの論理「０」レベル及び論理「１」レベルの中央に精度よく近づけることができる。なお、本例ではアイパタンがずれる場合を例示ししたが、アイパタンの歪みが生じた場合でも上記と同様の手法で受信識別レベル制御電圧の調整が可能である。
【００６９】
再び図５を参照すると、監視制御部３０は、インターフェース部３１を介して送受信部１のメモリ１１にアクセスする。インターフェース部３１は、ＦＰＧＡなどの論理回路により構成され、監視制御部３０とメモリ１１の間において、例えばＩ２Ｃ（Inter-Integrated Circuit）の規格のシリアルバスを制御する。
【００７０】
監視制御部３０は、上述したように、論理「０」レベルのエラー数Ｅｒ０と論理「１」レベルのエラー数Ｅｒ１を比較し、その比較結果に応じて受信識別レベル制御電圧を増加方向または減少方向に調整する。このため、監視制御部３０は、受信識別レベル制御電圧を精度よく調整することができる。
【００７１】
また、監視制御部３０は、論理「０」レベルのエラー数Ｅｒ０と論理「１」レベルのエラー数Ｅｒ１の比較結果に応じた調整値だけ受信識別レベル制御電圧を調整する。このため、監視制御部３０は、受信識別レベル制御電圧をさらに精度よく調整することができる。
【００７２】
また、監視制御部３０は、受信識別レベル制御電圧の調整前からエラーレートが基準値ＲＥＦ以下である場合、または調整後、各エラー数Ｅｒ０，Ｅｒ１の比較結果として各エラー数Ｅｒ０，Ｅｒ１の間の大小関係が変化（つまり逆転）を検出した場合、微調整処理を実行する。監視制御部３０は、微調整処理において、受信識別レベル制御電圧を所定の微小な調整値（例えば０．５（％））だけ微調整する。このため、受信識別レベル制御電圧を効率的に最適値に近づけることが可能となる。
【００７３】
図８は、光ＩＮＦユニットの外観の一例を示す図である。光ＩＮＦユニットは、例えば伝送装置の前面に設けられたスロットに挿入され、回路基板４０と、ネジなどにより回路基板４０の一端に取り付けられた前面板４１を有する。
【００７４】
回路基板４０には、ＣＰＵ４００、Ｉ２Ｃデバイス４０１、信号処理デバイス４０３、及び複数のマッパーデバイス４０２が実装されている。Ｉ２Ｃデバイス４０１、信号処理デバイス４０３、及び複数のマッパーデバイス４０２は、例えばＦＰＧＡまたはＡＳＩＣ（Application Specified Integrated Circuit）である。
【００７５】
信号処理デバイス４０３は信号処理部３３の機能を有し、Ｉ２Ｃデバイス４０１はインターフェース部３１の機能を有する。また、各マッパーデバイス４０２は、ＦＥＣ処理部３２の機能を有する。なお、光ＩＮＦユニットには複数の通信回線が収容されるため、マッパーデバイス４０２は通信回線ごとに設けられている。
【００７６】
前面板４１は、例えば金属により構成され、光ＩＮＦユニットを伝送装置のスロットに挿入した状態において伝送装置の前面側に露出する。前面板４１には、光ＩＮＦユニットに対しＸＦＰ４１１を着脱する（矢印参照）ための方形状の開口４１０が通信回線ごとに設けられている。ＸＦＰ４１１は、送受信部１の機能を有し、回路基板４０に実装されたコネクタ（不図示）と接続される。
【００７７】
このように、ＸＦＰ４１１は小型であるため、１つの光ＩＮＦユニットに複数設けることができ、伝送装置に通信回線を効率よく収容することができる。
【００７８】
次に、伝送路Ｒａ，Ｒｂのエラーレート特性に基づき受信識別レベル制御電圧の調整処理を説明する。
【００７９】
図９は、論理「０」レベル及び論理「１」レベルのエラーＥｒ０，Ｅｒ１の差分が小さい場合の受信識別レベル制御電圧の調整処理の一例を示す図である。図９において、図２と共通する事項についての説明は省略する。
【００８０】
本例において、伝送路Ｒａのエラーレート特性Ｇａの最適点Ｐａの受信識別レベル制御電圧は５４．５（％）であり、伝送路Ｒｂのエラーレート特性Ｇｂの最適点Ｐｂの受信識別レベル制御電圧は４４．５（％）である。また、制御点Ｐａ’は、エラーレート特性Ｇｂ上における最適点Ｐａの受信識別レベル制御電圧に相当する点であり、制御点Ｐｂ’は、エラーレート特性Ｇａ上における最適点Ｐｂの受信識別レベル制御電圧に相当する点である。
【００８１】
光スイッチ２０が伝送路を伝送路Ｒａから伝送路Ｒｂに切り替えた場合、ビットエラーレートはエラーレート特性Ｇａの最適点Ｐａの値（＜ＲＥＦ）からエラーレート特性Ｇｂの制御点Ｐａ’の値（＞ＲＥＦ）となるため、要求される伝送品質が満たされなくなる。監視制御部３０は、エラー数Ｅｒ０，Ｅｒ１同士を比較し、その比較結果から受信識別レベル制御電圧の調整方向及び調整値を決定する。
【００８２】
１００×Ｅｒ０＞Ｅｒ１≧１０×Ｅｒ０                          ・・・（１）
【００８３】
監視制御部３０は、比較結果から上記の式（１）が成立すると判定した場合、調整方向を減少方向に決定し、調整値ｄを１０（％）に決定する。このため、受信識別レベル制御電圧は、矢印で示されるように−１０（％）だけ調整される。したがって、エラーレートは制御点Ｐａ’の値からエラーレート特性Ｇｂの最適点Ｐｂの値（＜ＲＥＦ）となるため、要求される伝送品質が満たされる。
【００８４】
一方、光スイッチ２０が伝送路を伝送路Ｒｂから伝送路Ｒａに切り替えた場合、ビットエラーレートはエラーレート特性Ｇｂの最適点Ｐｂの値（＜ＲＥＦ）からエラーレート特性Ｇａの制御点Ｐｂ’の値（＞ＲＥＦ）となるため、要求される伝送品質が満たされなくなる。監視制御部３０は、エラー数Ｅｒ０，Ｅｒ１同士を比較し、その比較結果から受信識別レベル制御電圧の調整方向及び調整値を決定する。
【００８５】
１００×Ｅｒ１＞Ｅｒ０≧１０×Ｅｒ１                          ・・・（２）
【００８６】
監視制御部３０は、比較結果から上記の式（２）が成立すると判定した場合、調整方向を増加方向に決定し、調整値ｄを１０（％）に決定する。このため、受信識別レベル制御電圧は、矢印で示されるように＋１０（％）だけ調整される。したがって、エラーレートは制御点Ｐｂ’の値からエラーレート特性Ｇａの最適点Ｐａの値（＜ＲＥＦ）となるため、要求される伝送品質が満たされる。
【００８７】
図１０は、論理「０」レベル及び論理「１」レベルのエラーＥｒ０，Ｅｒ１の差分が大きい場合の受信識別レベル制御電圧の調整処理の一例を示す図である。図１０において、図９と共通する事項についての説明は省略する。本例において、伝送路Ｒａのエラーレート特性Ｇａの最適点Ｐａの受信識別レベル制御電圧は５９．５（％）であり、伝送路Ｒｂのエラーレート特性Ｇｂの最適点Ｐｂの受信識別レベル制御電圧は３９．５（％）である。
【００８８】
光スイッチ２０が伝送路を伝送路Ｒａから伝送路Ｒｂに切り替えた場合、ビットエラーレートはエラーレート特性Ｇａの最適点Ｐａの値（＜ＲＥＦ）からエラーレート特性Ｇｂの制御点Ｐａ’の値（＞ＲＥＦ）となるため、要求される伝送品質が満たされなくなる。監視制御部３０は、エラー数Ｅｒ０，Ｅｒ１同士を比較し、その比較結果から受信識別レベル制御電圧の調整方向及び調整値を決定する。
【００８９】
Ｅｒ１≧１００×Ｅｒ０                          ・・・（３）
【００９０】
監視制御部３０は、比較結果から上記の式（３）が成立すると判定した場合、調整方向を減少方向に決定し、調整値ｄを２０（％）に決定する。このため、受信識別レベル制御電圧は、矢印で示されるように−２０（％）だけ調整される。したがって、エラーレートは制御点Ｐａ’の値からエラーレート特性Ｇｂの最適点Ｐｂの値（＜ＲＥＦ）となるため、要求される伝送品質が満たされる。
【００９１】
一方、光スイッチ２０が伝送路を伝送路Ｒｂから伝送路Ｒａに切り替えた場合、ビットエラーレートはエラーレート特性Ｇｂの最適点Ｐｂの値（＜ＲＥＦ）からエラーレート特性Ｇａの制御点Ｐｂ’の値（＞ＲＥＦ）となるため、要求される伝送品質が満たされなくなる。監視制御部３０は、エラー数Ｅｒ０，Ｅｒ１同士を比較し、その比較結果から受信識別レベル制御電圧の調整方向及び調整値を決定する。
【００９２】
Ｅｒ０≧１００×Ｅｒ１                          ・・・（４）
【００９３】
監視制御部３０は、比較結果から上記の式（４）が成立すると判定した場合、調整方向を増加方向に決定し、調整値ｄを２０（％）に決定する。このため、受信識別レベル制御電圧は、矢印で示されるように＋２０（％）だけ調整される。したがって、エラーレートは制御点Ｐｂ’の値からエラーレート特性Ｇａの最適点Ｐａの値（＜ＲＥＦ）となるため、要求される伝送品質が満たされる。
【００９４】
１０×Ｅｒ０≧Ｅｒ１＞Ｅｒ０                                  ・・・（５）
１０×Ｅｒ１≧Ｅｒ０＞Ｅｒ１                                  ・・・（６）
【００９５】
また、監視制御部３０は、エラー数Ｅｒ０，Ｅｒ１同士を比較し、その比較結果からエラー数Ｅｒ０，Ｅｒ１の差分が微差と判定した場合、受信識別レベル制御電圧の微調整処理を行う。より具体的には、監視制御部３０は、比較結果から上記の式（５）または式（６）が成立すると判定した場合、微調整処理を行う。微調整処理では、調整値ｄを所定の値（例えば０．５（％））として調整が行われる。
【００９６】
微調整処理は上記の場合に限定されずに実行される。監視制御部３０は、調整の結果、エラー数Ｅｒ０，Ｅｒ１の大小関係が逆転した場合も微調整処理を実行する。この場合、受信識別レベル制御電圧がエラーレート特性Ｇａ，Ｇｂの最適点Ｐａ，Ｐｂを超えた値になったと判定されるため、微調整により受信識別レベル制御電圧を効率的に最適点Ｐａ，Ｐｂの値に近づけることができる。
【００９７】
また、監視制御部３０は、伝送路の切り替え後のエラーレート（＝Ｅｒ０＋Ｅｒ１）が基準値ＲＥＦより小さい場合も、微調整処理を実行する。この場合、要求される伝送品質は満たされているため、監視制御部３０は、受信識別レベル制御電圧を大きな調整値ｄで調整する必要がなく、光信号の受信中に受信識別レベル制御電圧を少しずつ最適点Ｐａ，Ｐｂの値に近づけることができる。この場合の微調整処理を以下に述べる。
【００９８】
図１１は、受信識別レベル制御電圧の微調整処理の一例を示す図である。図１１において、図９と共通する事項についての説明は省略する。
【００９９】
本例において、エラーレート特性Ｇａの制御点Ｐｂ’のエラーレート及びエラーレート特性Ｇｂの制御点Ｐａ’のエラーレートは、それぞれ、基準値ＲＥＦより小さく、要求される伝送品質が満たされる。このため、光スイッチ２０が伝送路を伝送路Ｒａから伝送路Ｒｂに切り替えた場合、及び光スイッチ２０が伝送路を伝送路Ｒｂから伝送路Ｒａに切り替えた場合の何れでも、監視制御部３０は微調整処理を実行する。
【０１００】
監視制御部３０は、図９及び図１０の例と同様に各エラー数Ｅｒ０，Ｅｒ１の比較結果から受信識別レベル制御電圧の制御方向を決定する。より具体的には、監視制御部３０は、Ｅｒ０＞Ｅｒ１が成立する場合、調整方向を増加方向に決定し、Ｅｒ１＞Ｅｒ０が成立する場合、調整方向を減少方向に決定する。また、監視制御部３０は、調整値ｄを、一例として０．５（％）の固定値とする。
【０１０１】
したがって、光スイッチ２０が伝送路を伝送路Ｒａから伝送路Ｒｂに切り替えた場合、監視制御部３０は、受信識別レベル制御電圧を−０．５（％）ずつ繰り返し調整する。また、光スイッチ２０が伝送路を伝送路Ｒｂから伝送路Ｒａに切り替えた場合、監視制御部３０は、受信識別レベル制御電圧を＋０．５（％）ずつ繰り返し調整する。これにより、受信識別レベル制御電圧は徐々に最適点Ｐａ，Ｐｂに近づく。
【０１０２】
次に監視制御部３０の処理をフローチャートにより説明する。
【０１０３】
図１２は、受信識別レベル制御電圧の調整処理の実行判定処理の一例を示すフローチャートである。監視制御部３０は、光ＩＮＦユニットが初回の起動状態であるか否かを判定する（ステップＳｔ１）。
【０１０４】
監視制御部３０は、光ＩＮＦユニットが初回の起動状態である場合（ステップＳｔ１のＹｅｓ）、受信識別レベル制御電圧の調整処理を実行する（ステップＳｔ４）。これにより、受信識別レベル制御電圧は、現用系の伝送路Ｒａ，Ｒｂの残留分散値に応じて調整される。
【０１０５】
また、監視制御部３０は、光ＩＮＦユニットが初回の起動状態ではない場合（ステップＳｔ１のＮｏ）、受信器１０からのＬＯＳ信号の入力の有無を判定する（ステップＳｔ２）。監視制御部３０は、ＬＯＳ信号の入力がない場合（ステップＳｔ２のＮｏ）、処理を終了する。また、監視制御部３０は、ＬＯＳ信号が入力された場合（ステップＳｔ２のＹｅｓ）、光スイッチ２０に対して伝送路の切り替え制御を行う（ステップＳｔ３）。
【０１０６】
次に、監視制御部３０は受信識別レベル制御電圧の調整処理を実行する（ステップＳｔ４）。これにより、受信識別レベル制御電圧は、切り替え後の伝送路Ｒａ，Ｒｂの残留分散値に応じて調整される。このようにして、受信識別レベル制御電圧の調整処理の実行判定処理は行われる。
【０１０７】
図１３は、受信識別レベル制御電圧の調整処理の一例を示すフローチャートである。なお、本処理は閾値調整方法の一例である。
【０１０８】
監視制御部３０は、ＦＥＣ処理部３２によりエラーレートを測定する（ステップＳｔ１１）。これにより、監視制御部３０は、ＦＥＣ処理部３２から論理「０」レベルのエラー数Ｅｒ０と論理「１」レベルのエラー数Ｅｒ１を取得する。
【０１０９】
次に、監視制御部３０は、エラーレート（＝Ｅｒ０＋Ｅｒ１）を基準値ＲＥＦと比較する（ステップＳｔ１２）。監視制御部３０は、エラーレートが基準値ＲＥＦ以下である場合（ステップＳｔ１２のＹｅｓ）、微調整処理を実行する（ステップＳｔ２０）。なお、微調整処理のフローチャートについては後述する。また、監視制御部３０は、エラーレートが基準値ＲＥＦより大きい場合（ステップＳｔ１２のＮｏ）、エラー数Ｅｒ０，Ｅｒ１同士を比較する（ステップＳｔ１３）。
【０１１０】
監視制御部３０は、Ｅｒ０≦Ｅｒ１が成立する場合（ステップＳｔ１３のＮｏ）、１０×Ｅｒ０＞Ｅｒ１（上記の式（５））が成立するか否かを判定する（ステップＳｔ１４）。監視制御部３０は、１０×Ｅｒ０＞Ｅｒ１が成立する場合（ステップＳｔ１４のＹｅｓ）、微調整処理を実行する（ステップＳｔ２０）。また、監視制御部３０は、１０×Ｅｒ０≦Ｅｒ１が成立する場合（ステップＳｔ１４のＮｏ）、受信識別レベル制御電圧の調整方向を増加方向に決定する（ステップＳｔ１５）。
【０１１１】
また、監視制御部３０は、Ｅｒ０＞Ｅｒ１が成立する場合（ステップＳｔ１３のＹｅｓ）、１０×Ｅｒ１＞Ｅｒ０（上記の式（６））が成立するか否かを判定する（ステップＳｔ２１）。監視制御部３０は、１０×Ｅｒ１＞Ｅｒ０が成立する場合（ステップＳｔ２１のＹｅｓ）、微調整処理を実行する（ステップＳｔ２０）。また、監視制御部３０は、１０×Ｅｒ１≦Ｅｒ０が成立する場合（ステップＳｔ２１のＮｏ）、受信識別レベル制御電圧の調整方向を減少方向に決定する（ステップＳｔ２２）。
【０１１２】
次に、監視制御部３０は調整値ｄの決定処理を実行する（ステップＳｔ１６）。調整値ｄの決定処理のフローチャートについては後述する。次に、監視制御部３０は、受信識別レベル制御電圧を決定済みの調整方向に調整値ｄだけ変更する（ステップＳｔ１７）。
【０１１３】
次に、監視制御部３０は、ＦＥＣ処理部３２によりエラーレートを測定する（ステップＳｔ１８）。次に、監視制御部３０は、エラー数Ｅｒ０，Ｅｒ１同士を比較し、比較の結果、エラー数Ｅｒ０，Ｅｒ１の大小関係が逆転したか否かを判定する（ステップＳｔ１９）。監視制御部３０は、エラー数Ｅｒ０，Ｅｒ１の大小関係が逆転した場合（ステップＳｔ１９のＹｅｓ）、微調整処理を実行する（ステップＳｔ２０）。また、監視制御部３０は、エラー数Ｅｒ０，Ｅｒ１の大小関係が逆転していない場合（ステップＳｔ１９のＮｏ）、再びステップＳｔ１２の処理を実行する。
【０１１４】
より具体的には、監視制御部３０は、ステップＳｔ１３の判定処理においてＥｒ０＞Ｅｒ１が成立すると判定した場合、ステップＳｔ１９の判定処理においてＥｒ１＞Ｅｒ０が成立するか否かを判定する。また、監視制御部３０は、ステップＳｔ１３の判定処理においてＥｒ１＞Ｅｒ０が成立すると判定した場合、ステップＳｔ１９の判定処理においてＥｒ０＞Ｅｒ１が成立するか否かを判定する。
【０１１５】
エラー数Ｅｒ０，Ｅｒ１の大小関係が逆転した場合、受信識別レベル制御電圧は、ステップＳｔ１７の処理により最適点Ｐａ，Ｐｂの値を超えてしまったことになるため、微調整処理により反対方向に所定の小さな調整値ｄだけ繰り返し調整される。このようにして、受信識別レベル制御電圧の調整処理は実行される。
【０１１６】
図１４は、調整値ｄの決定処理の一例を示す図である。本処理は図１３のステップＳｔ１６において実行される。
【０１１７】
監視制御部３０は、エラー数Ｅｒ０，Ｅｒ１同士を比較する（ステップＳｔ３１）。監視制御部３０は、比較の結果、Ｅｒ０＞Ｅｒ１が成立する場合（ステップＳｔ３１のＹｅｓ）、上記の式（２）が成立するか否かを判定する（ステップＳｔ３２）。監視制御部３０は、式（２）が成立する場合（ステップＳｔ３２のＹｅｓ）、調整値ｄを１０（％）に決定する（ステップＳｔ３３）。また、監視制御部３０は、式（２）が成立しない場合（ステップＳｔ３２のＮｏ）、つまり上記の式（４）が成立する場合、調整値ｄを２０（％）に決定する（ステップＳｔ３４）。
【０１１８】
また、監視制御部３０は、比較の結果、Ｅｒ０≦Ｅｒ１が成立する場合（ステップＳｔ３１のＮｏ）、上記の式（１）が成立するか否かを判定する（ステップＳｔ３５）。監視制御部３０は、式（１）が成立する場合（ステップＳｔ３５のＹｅｓ）、調整値ｄを１０（％）に決定する（ステップＳｔ３６）。また、監視制御部３０は、式（１）が成立しない場合（ステップＳｔ３５のＮｏ）、つまり上記の式（３）が成立する場合、調整値ｄを２０（％）に決定する（ステップＳｔ３７）。
【０１１９】
このようにして、調整値ｄの決定処理は実行される。なお、本処理において、エラー数Ｅｒ０，Ｅｒ１の条件である式（１）〜（４）と調整値ｄ（＝１０（％）、２０（％））は一例であり、例えばシミュレーションまたは実験により伝送路及び伝送装置の特性に応じて適宜に決定されるものである。
【０１２０】
図１５は、微調整処理の一例を示す図である。本処理は、図１３のステップＳｔ２０において実行され、受信器１０が光信号を受信中であっても実行可能である。
【０１２１】
監視制御部３０は、エラー数Ｅｒ０，Ｅｒ１同士を比較する（ステップＳｔ４１）。監視制御部３０は、比較の結果、Ｅｒ０＞Ｅｒ１が成立する場合（ステップＳｔ４１のＹｅｓ）、受信識別レベル制御電圧の調整方向を増加方向に決定する（ステップＳｔ４２）。また、監視制御部３０は、比較の結果、Ｅｒ０≦Ｅｒ１が成立する場合（ステップＳｔ４１のＮｏ）、受信識別レベル制御電圧の調整方向を減少方向に決定する（ステップＳｔ４３）。
【０１２２】
次に、監視制御部３０は調整値ｄを例えば０．５（％）に設定する（ステップＳｔ４４）。次に、監視制御部３０は、最新のエラーレートを変数ＥＲｏにセットする（ステップＳｔ４５）。次に、監視制御部３０は、受信識別レベル制御電圧を決定済みの調整方向に０．５（％）だけ変更する（ステップＳｔ４６）。
【０１２３】
次に、監視制御部３０は、ＦＥＣ処理部３２によりエラーレートを測定する（ステップＳｔ４７）。次に、監視制御部３０は、エラーレートを変数ＥＲｏ、つまり前回のエラーレートの測定値と比較する（ステップＳｔ４８）。監視制御部３０は、エラーレートが変数ＥＲｏより小さい場合（ステップＳｔ４８のＮｏ）、再びステップＳｔ４５の処理を実行する。また、監視制御部３０は、エラーレートが変数ＥＲｏ以上である場合（ステップＳｔ４８のＹｅｓ）、受信識別レベル制御電圧を変更前の値に戻す（ステップＳｔ４９）。
【０１２４】
これにより、受信識別レベル制御電圧は、０．５（％）ずつ最適点Ｐａ，Ｐｂの値に近づき、エラーレートが前回の測定値より増加した場合、最適点Ｐａ，Ｐｂの値を超えたと判断されて変更前の値に戻される。このため、受信識別レベル制御電圧を効率的に最適点Ｐａ，Ｐｂの値に近づけることができる。このようにして、微調整処理は実行される。
【０１２５】
本実施例によると、監視制御部３０は、論理「０」レベルのエラー数Ｅｒ０及び論理「１」レベルのエラー数Ｅｒ１の検出結果に基づき受信識別レベル制御電圧を調整するため、高精度な調整が可能となり、エラーレートの測定回数を比較例より低減することができる。このとき、受信識別レベル制御電圧の調整方向及び調整値ｄの決定には数秒程度の時間しかかからない。このため、受信識別レベル制御電圧の調整時間を数秒〜数十秒に短縮することが可能である。
【０１２６】
上述した実施形態は本発明の好適な実施の例である。但し、これに限定されるものではなく、本発明の要旨を逸脱しない範囲内において種々変形実施可能である。
【０１２７】
なお、以上の説明に関して更に以下の付記を開示する。
（付記１）  光信号を受信し、前記光信号の論理レベルを閾値に基づき識別することにより前記光信号を電気信号に変換する受信器と、
前記電気信号から所定時間内の前記光信号のエラー数を前記論理レベルごとに検出する検出部と、
前記検出部の検出結果に基づき前記閾値を調整する調整部とを有することを特徴とする光受信装置。
（付記２）  前記調整部は、前記検出部が検出した前記論理レベルごとのエラー数同士を比較し、該比較結果に応じて前記閾値を増加方向または減少方向に調整することを特徴とする付記１に記載の光受信装置。
（付記３）  前記調整部は、前記検出部が検出した前記論理レベルごとのエラー数同士を比較し、該比較結果に応じた調整値だけ前記閾値を調整することを特徴とする付記１または２に記載の光受信装置。
（付記４）  前記調整部は、前記検出部が検出した前記論理レベルごとのエラー数同士を比較し、該比較結果として、前記論理レベルごとのエラー数の間の大小関係の変化を検出した場合、所定値だけ前記閾値を調整することを特徴とする付記１乃至３の何れかに記載の光受信装置。
（付記５）  前記光信号の受信元の伝送路を切り替える切り替え部を有し、
前記調整部は、前記切り替え部が前記光信号の受信元の伝送路を切り替えたとき、前記閾値を調整することを特徴とする付記１乃至４の何れかに記載の光受信装置。
（付記６）  光信号を受信し、
前記光信号の論理レベルを閾値に基づき識別することにより前記光信号を電気信号に変換し、
前記電気信号から所定時間内の前記光信号のエラー数を前記論理レベルごとに検出し、
該検出結果に基づき前記閾値を調整することを特徴とする閾値調整方法。
（付記７）  検出した前記論理レベルごとのエラー数同士を比較し、該比較結果に応じて前記閾値を増加方向または減少方向に調整することを特徴とする付記６に記載の閾値調整方法。
（付記８）  検出した前記論理レベルごとのエラー数同士を比較し、該比較結果に応じた調整値だけ前記閾値を調整することを特徴とする付記６または７に記載の閾値調整方法。
（付記９）  検出した前記論理レベルごとのエラー数同士を比較し、該比較結果として、前記論理レベルごとのエラー数の間の大小関係の変化を検出した場合、所定値だけ前記閾値を調整することを特徴とする付記６乃至８の何れかに記載の閾値調整方法。
【符号の説明】
【０１２８】
１０                                            受信器
１２                                            送信器
２０                                            光スイッチ
３０                                            監視制御部
３２                                            ＦＥＣ処理部
【図１】
2018050117.tif 000003
【図２】
2018050117.tif 000004
【図３】
2018050117.tif 000005
【図４】
2018050117.tif 000006
【図５】
2018050117.tif 000007
【図６】
2018050117.tif 000008
【図７】
2018050117.tif 000009
【図８】
2018050117.tif 000010
【図９】
2018050117.tif 000011
【図１０】
2018050117.tif 000012
【図１１】
2018050117.tif 000013
【図１２】
2018050117.tif 000014
【図１３】
2018050117.tif 000015
【図１４】
2018050117.tif 000016
【図１５】
2018050117.tif 000017